(57)【要約】【課題】単位時間当たりの閃光撮影回数を多くすることが可能であるチャタリングの生じないシンクロスイッチを有するカメラにも、チャタリング時間の長いあるいは短いシンクロスイッチを有するカメラにも対応することのできる閃光装置を提供する。【解決手段】閃光発光起動ユニットに接続されたチャタリング防止ユニット（＃１０８〜＃１１３，＃１２０〜＃１２５）と、通信端子を介して接続された撮像装置との情報の授受により撮像装置のシンクロスイッチの種類を判別する判別ユニット（＃１０４，＃１１６）と、制御ユニットとを有し、制御ユニットが判別ユニットの判別結果に応じてチャタリング防止ユニットを制御する。【選択図】図４
2005141197.tif 000002
【特許請求の範囲】
【請求項１】
発光ユニットを発光させるための信号を前記発光ユニットに送信する閃光発光起動ユニットと、
前記閃光発光起動ユニットに接続されたチャタリング防止ユニットと、
通信端子を介して接続された撮像装置との情報の授受により前記撮像装置のシンクロスイッチの種類を判別する判別ユニットと、
前記判別ユニットの判別結果に応じて前記チャタリング防止ユニットを制御する制御ユニットと、
を有することを特徴とする閃光装置。
【請求項２】
前記制御ユニットは、前記判別ユニットの判別結果に応じて前記チャタリング防止ユニットの動作を停止させることを特徴とする請求項１に記載の閃光装置。
【請求項３】
前記制御ユニットは、前記判別ユニットの判別結果に応じて前記チャタリング防止ユニットのチャタリング防止時間を設定することを特徴とする請求項１に記載の閃光装置。
【請求項４】
前記制御ユニットは、前記判別ユニットにより前記撮像装置のシンクロスイッチがチャタリングを発生しないスイッチであると判別された場合は、前記チャタリング防止ユニットの動作を停止させることを特徴とする請求項２に記載の閃光装置。
【請求項５】
前記制御ユニットは、前記判別ユニットにより前記撮像装置のシンクロスイッチがチャタリングを発生するスイッチであると判別された場合は、前記シンクロスイッチのチャタリング時間の判別結果に応じて、前記チャタリング防止ユニットのチャタリング防止時間を設定することを特徴とする請求項３に記載の閃光装置。
【請求項６】
前記判別ユニットにより前記撮像装置のシンクロスイッチがチャタリングを発生しないスイッチであると判別された場合は、前記撮像装置の単位時間あたりの閃光撮影回数の上限が、前記判別ユニットにより前記撮像装置のシンクロスイッチがチャタリングを発生するスイッチであると判別された場合よりも大きくなることを特徴とする請求項４に記載の閃光装置。
【請求項７】
前記判別ユニットによって判別された前記シンクロスイッチのチャタリング時間が短いほど、前記撮像装置の単位時間あたりの閃光撮影回数の上限が大きくなることを特徴とする請求項５に記載の閃光装置。
【請求項８】
発光ユニットを発光させるための信号を前記発光ユニットに送信する閃光発光起動ユニットと、前記閃光発光起動ユニットに接続されたチャタリング防止ユニットとを有する閃光装置に接続可能な撮像装置において、
前記撮像装置のシンクロスイッチの種類を判別する判別信号を通信端子を介して接続された閃光装置に送信する通信ユニットを有することを特徴とする撮像装置。
【請求項９】
撮像装置、及び前記撮像装置に接続可能な閃光装置からなる閃光撮影システムにおいて、
前記閃光装置は発光ユニットを発光させるための信号を前記発光ユニットに送信する閃光発光起動ユニット、及び、前記閃光発光起動ユニットに接続されたチャタリング防止ユニットを有し、
前記撮像装置はシンクロスイッチの種類を判別する判別信号を通信端子を介して接続された閃光装置に送信する通信ユニットを有し、
前記閃光装置は前記判別信号に応じて前記チャタリング防止ユニットを制御することを特徴とする閃光撮影システム。
【請求項１０】
発光ユニットを発光させるための信号を前記発光ユニットに送信する閃光発光起動ユニットと、前記閃光発光起動ユニットに接続されたチャタリング防止ユニットを有する閃光装置の制御方法であって、
前記閃光装置と通信端子を介して接続された撮像装置との情報の授受により前記撮像装置のシンクロスイッチの種類を判別する判別行程と、
前記判別行程の判別結果に応じて前記チャタリング防止ユニットを制御する制御行程と、
を有することを特徴とする閃光装置の制御方法。
【請求項１１】
前記制御行程では、前記判別行程の判別結果に応じて前記チャタリング防止ユニットの動作を停止させることを特徴とする請求項１０に記載の閃光装置の制御方法。
【請求項１２】
前記制御行程では、前記判別行程の判別結果に応じて前記チャタリング防止ユニットのチャタリング防止時間を設定することを特徴とする請求項１０に記載の閃光装置の制御方法。
【請求項１３】
前記制御行程では、前記判別行程により前記撮像装置のシンクロスイッチがチャタリングを発生しないスイッチであると判別された場合に、前記チャタリング防止ユニットの動作を停止させることを特徴とする請求項１１に記載の閃光装置の制御方法。
【請求項１４】
前記制御行程では、前記判別行程により前記撮像装置のシンクロスイッチがチャタリングを発生するスイッチであると判別された場合に、前記シンクロスイッチのチャタリング時間の判別結果に応じて、前記チャタリング防止ユニットのチャタリング防止時間を設定することを特徴とする請求項１２に記載の閃光装置の制御方法。
【発明の詳細な説明】
【技術分野】
【０００１】
本発明は、フィルムもしくは撮像素子を記録媒体とするカメラと接続して使用される閃光装置、撮像装置、閃光撮影システム及び閃光装置の制御方法に関するものである。
【背景技術】
【０００２】
一般に閃光装置は発光起動手段に接続されたチャタリング防止手段を備えている。これは、メカニカルなシンクロスイッチを有するカメラが接続される可能性があることを前提にしているからである。つまり、カメラのシンクロスイッチがメカニカルなスイッチであると、ある時間チャタリングが発生し、チャタリング防止手段を備えていない閃光装置では誤って複数回発光してしまう不都合が発生してしまう。これを防ぐ為に、シンクロスイッチが最初にオンになった際に発光起動を行い、その後所定時間シンクロスイッチのオフとオンの繰り返しがあっても無視するチャタリング防止手段を備えている。前記所定時間として、１００ミリ秒を必要とするカメラが一般的である。
【０００３】
一般に前記所定時間をチャタリング防止時間と呼ぶ。メカニカルなシンクロスイッチを用いた場合であっても、コストは高くなるが性能の良いスイッチを用いれば、チャタリング発生時間を５０ミリ秒以下にすることも可能である。しかしながら、チャタリング防止時間が１００ミリ秒であるカメラを用いた場合に上記の不都合が発生しないことを保障するため、チャタリング防止時間が５０ミリ秒以下であるカメラを用いた場合や下記に記す半導体シンクロスイッチを有するカメラを用いた場合であっても、連続撮影時の閃光装置の発光の間隔を毎秒１０回に制限してしまっていた。以上の理由から、連続閃光撮影時の閃光発光の間隔は毎秒１０回程度が上限であった。また、半導体シンクロスイッチを備えたカメラも既に販売されているが、前述のように閃光装置の発光間隔が毎秒１０回程度が上限であるため、カメラに毎秒１０回以上の閃光撮影能力があっても毎秒１０回程度に抑えるように設計されていた。
【０００４】
上記の閃光装置以外に、チャタリング防止機能を具備するものとして、例えば特許文献１があるが、この特許文献１に開示された技術はキセノン放電管を用いた遠隔制御装置であり、該遠隔制御装置として使用する場合、送信機がカメラのＸ接点（本発明の実施例におけるメカニカルなシンクロスイッチに相当）からの信号を受信する場合はチャタリング除去回路によりチャタリングを除去し、発光制御回路にチャタリング除去回路の出力信号にしたがってキセノン放電管を複数回閃光発光させるために光パルス信号を送信し、受信機はこの光パルス信号を受信してその出力端子に接続された被制御機器（本発明の実施例における閃光装置に相当）を作動させる技術が記載されている。また、この特許文献１には、中継器として使用する場合、受信機の出力端子と送信機の入力端子とをケーブルで接続し、受信機は受信した光パルス信号を出力端子、ケーブル、入力端子及びチャタリング除去回路をバイパスするバイパス手段を介して発光制御回路へ供給し、受信した光パルス信号に従って放電管を閃光発光させる技術が開示されている。
【０００５】
即ち、送信機をカメラに接続する場合はチャタリング除去回路を使用し、中継機として使用する場合はチャタリング除去回路をバイパスして使用する。使用するかバイパスするかの判断は使用者が手動で設定している。
【０００６】
前記従来の閃光装置の有する問題点、つまり半導体シンクロスイッチを備えたカメラとメカニカルなシンクロスイッチを備えたカメラの両方に接続可能な閃光装置とした場合、チャタリング防止手段を具備するが故にその発光間隔が毎秒１０回程度が上限となるという問題点を解決するためには、上記遠隔制御装置の提案のようにチャタリング除去回路を使用するか使用しないかを手動で切り換えることが考えられる。
【０００７】
また、共にメカニカルなシンクロスイッチであってもチャタリング発生時間が異なるカメラの両方に接続可能な閃光装置とした場合、チャタリング防止手段を具備するが故にその発光間隔が毎秒１０回程度が上限となるという問題点を解決するためには、チャタリング防止時間の異なるチャタリング除去回路を手動で切り換えることが考えられる。
【０００８】
つまり、閃光装置にメカニカルなシンクロスイッチを備えたカメラが接続された場合には、そのメカニカルなシンクロスイッチのチャタリング発生時間に応じたチャタリング防止手段を動作させ、半導体シンクロスイッチを備えたカメラが接続された場合には、チャタリング防止手段を動作させないように、手動で切り換えることが考えられる。
【特許文献１】実用新案登録第２５０３５２２号公報
【発明の開示】
【発明が解決しようとする課題】
【０００９】
しかしながら、チャタリング防止手段の切り換えを使用者に任せた場合、その操作が煩雑であるばかりでなく、その切り換えが適切になされないことも考えられ、所望の閃光撮影を行うことが出来ないことにもなる。さらには、上記のような切り換え操作の為のスイッチを具備することは、閃光装置やカメラの小型化、低コスト化を損なうことにもなってしまう。
【００１０】
（発明の目的）
本発明の目的は、単位時間当たりの閃光撮影回数を多くすることが可能である半導体シンクロスイッチを有するカメラにも、チャタリング時間の長いあるいは短いメカニカルなシンクロスイッチを有するカメラにも対応することのできる閃光装置、撮像装置、閃光撮影システム及び閃光装置の制御方法を提供しようとするものである。
【課題を解決するための手段】
【００１１】
上記目的を達成するために、請求項１に記載の発明は、発光ユニットを発光させるための信号を前記発光ユニットに送信する閃光発光起動ユニットと、前記閃光発光起動ユニットに接続されたチャタリング防止ユニットと、通信端子を介して接続された撮像装置との情報の授受により前記撮像装置のシンクロスイッチの種類を判別する判別ユニットと、前記判別ユニットの判別結果に応じて前記チャタリング防止ユニットを制御する制御ユニットと、を有する閃光装置とするものである。
【００１２】
また、請求項８に記載の発明は、発光ユニットを発光させるための信号を前記発光ユニットに送信する閃光発光起動ユニットと、前記閃光発光起動ユニットに接続されたチャタリング防止ユニットとを有する閃光装置に接続可能な撮像装置において、前記撮像装置のシンクロスイッチの種類を判別する判別信号を通信端子を介して接続された閃光装置に送信する通信ユニットを有することを特徴とする撮像装置とするものである。
【００１３】
また、請求項９に記載の発明は、撮像装置、及び前記撮像装置に接続可能な閃光装置からなる閃光撮影システムにおいて、前記閃光装置は発光ユニットを発光させるための信号を前記発光ユニットに送信する閃光発光起動ユニット、及び、前記閃光発光起動ユニットに接続されたチャタリング防止ユニットを有し、前記撮像装置はシンクロスイッチの種類を判別する判別信号を通信端子を介して接続された閃光装置に送信する通信ユニットを有し、前記閃光装置は前記判別信号に応じて前記チャタリング防止ユニットを制御することを特徴とする閃光撮影システムとするものである。
【００１４】
また、請求項１０に記載の発明は、発光ユニットを発光させるための信号を前記発光ユニットに送信する閃光発光起動ユニットと、前記閃光発光起動ユニットに接続されたチャタリング防止ユニットを有する閃光装置の制御方法であって、前記閃光装置と通信端子を介して接続された撮像装置との情報の授受により前記撮像装置のシンクロスイッチの種類を判別する判別行程と、前記判別行程の判別結果に応じて前記チャタリング防止ユニットを制御する制御行程とを有する閃光装置の制御方法とするものである。
【発明の効果】
【００１５】
本発明によれば、単位時間当たりの閃光撮影回数を多くすることが可能である半導体シンクロスイッチを有するカメラにも、チャタリング時間の長いあるいは短いメカニカルなシンクロスイッチを有するカメラにも対応することのできる閃光装置、撮像装置又は閃光撮影システムを提供できるものである。
【発明を実施するための最良の形態】
【００１６】
以下の実施例に示す通りである。
【実施例】
【００１７】
図１から図３は本発明の一実施例に係わる閃光装置と該閃光装置に接続可能な種類の異なるカメラ（第１の種類のカメラ（図１）、第２の種類のカメラ（図２）、および第３の種類のカメラ（図３））の回路構成を示す図である。なお、メカニカルなシンクロスイッチを有するカメラを第１あるいは第２の種類のカメラと称し、半導体シンクロスイッチを有するカメラを第３の種類のカメラと称する。
【００１８】
まず、図１を用いて、閃光装置とメカニカルなシンクロスイッチを有する第１の種類のカメラの回路構成について説明する。図１中の点線より上側が閃光装置の回路構成であり、下側がメカニカルなシンクロスイッチを有する第１の種類のカメラの回路構成である。
【００１９】
最初に、閃光装置の回路構成から説明する。図１から図３における閃光装置は同一の回路構成を有している。１は電源電池である。２は電源スイッチであり、一端は電源電池１のプラス極に接続され、他端は後述の昇圧回路３及びＤＣ／ＤＣコンバータ４の入力に接続されている。３は昇圧回路であり、入力が電源スイッチ２に接続され、出力が後述のメインコンデンサ１７のプラス極に接続され、メインコンデンサ１７を約３３０Ｖの高圧に充電するものである。４はＤＣ／ＤＣコンバータであり、入力が電源スイッチ２の一端に、出力が後述のマイクロコンピュータ（以下マイコン）５の電源端子ＶＤＤに、それぞれ接続されている。５はマイコンであり、電源端子ＶＤＤはＤＣ／ＤＣコンバータ４の出力に接続され、ＧＮＤ端子は電源電池１のマイナス極に接続されており、ポートＰ１，Ｐ２，Ｐ３，Ｐ４及びカメラとの通信用ポート群ＦＬを有している。６は抵抗であり、一端がマイコン５のポートＰ４に接続され、他端が後述のＬＥＤ７のアノードに接続されている。７は、後述のメインコンデンサ１７の充電が完了したときに点灯し、使用者にメインコンデンサ１７の充電が完了したことを報知するためのＬＥＤ（発光ダイオード）であり、アノードは抵抗６に接続され、カソードは電源電池１のマイナス極に接続されている。８はダイオードであり、アノードはマイコン５のポートＰ３に接続され、カソードはカメラとのシンクロ端子ＸＦＴに接続されている。このダイオード８を設けているのは、閃光装置が所謂シンクロ用ＰＣ端子を有するカメラのアクセサリシューに接続され、ＰＣ端子に所謂高圧シンクロの閃光装置が接続された際に、マイコン５が前記高圧により破壊されるのを防ぐためである。
【００２０】
９は抵抗であり、一端はマイコン５のポートＰ２に接続され、他端は後述のＩＧＢＴ１２のゲートに接続されている。１０は抵抗であり、一端は後述のＩＧＢＴ１２のゲートに接続され、他端は電源電池１のマイナス極に接続されている。１１は抵抗であり、一端はＩＧＢＴ１２のコレクタに接続され、他端はメインコンデンサ１７のプラス極に接続されている。前記シンクロ端子ＸＦＴは閃光装置側のシンクロ用接続端子であり、カメラのアクセサリシューに設けられた後述のシンクロ端子ＸＣＴに接続される。１２はＩＧＢＴ（絶縁ゲートバイポーラトランジスタ）であり、ゲートが抵抗９と１０の接続点に、コレクタが抵抗１１の一端に、エミッタが電源電池１のマイナス極に、それぞれ接続されている。１３はトリガコンデンサであり、一端がＩＧＢＴ１２のコレクタに接続され、他端が後述のトリガトランス１４の一次巻線の一端に接続されている。１４はトリガトランスであり、一次巻線の一端はトリガコンデンサ１３の一端に、二次巻線の一端は後述の閃光放電管１５のトリガ電極に、一次巻線と二次巻線の接続点はＩＧＢＴ１２のエミッタに、それぞれ接続されている。
【００２１】
上記のＩＧＢＴ１２、抵抗１１、トリガコンデンサ１３及びトリガトランス１４により、閃光発光起動手段を構成している。ここで、例えば抵抗１１は１００ＫΩ、トリガコンデンサ１３は０．０４７μＦに設定されている。このように設定することにより、閃光発光起動手段の繰り返し動作の毎秒１００回にも対応可能となる。
【００２２】
１５は閃光放電管であり、アノードはメインコンデンサ１７のプラス極に接続され、カソードは後述の閃光制御回路１６の一端に接続されている。１６は閃光制御回路であり、一端が閃光放電管１５のカソードに、他端がメインコンデンサ１７のマイナス極に、制御端子ＳＩが発光制御端子ＴＦＴ及びＴＣＴを介して後述のカメラの調光回路４０に、それぞれ接続されている。また、閃光制御回路１６は制御端子ＳＩへの入力がローレベルの時はオフであり、閃光電流が流れるのを禁止し、制御端子ＳＩへの入力がハイレベルの時はオンとなり、閃光電流が流れるのを許容する。１８は抵抗であり、一端がメインコンデンサ１７のプラス極に接続され、他端が後述の抵抗１９に接続されている。１９は抵抗であり、一端が抵抗１８の一端に接続され、他端がメインコンデンサ１７のマイナス極に接続されている。前記抵抗１８と１９の接続点はマイコン５のポートＰ１に接続されている。ＧＦＴはグランドに接続されたグランド端子であり、後述のカメラ側グランド端子ＧＣＴに接続されている。ＦＬＴはカメラの通信用端子群ＬＣＴに接続される通信用端子群であり、マイコン５のポート群ＦＬに接続されている。
【００２３】
次に、図１において、点線より下部に示した、メカニカルなシンクロスイッチを有する第１の種類のカメラの回路構成について説明する。
【００２４】
３０はカメラのマイコンであり、複数のポート群と複数のポートを有している。ポート群とポートに関しての詳細は後述する。３１は絞り制御回路であり、マイコン３０のポート群ＣＬ２に接続されている。３２はシャッタ制御回路であり、マイコン３０のポート群ＣＬ３に接続されている。３３はフィルム給送回路であり、マイコン３０のポート群ＣＬ４に接続されている。３４はモード設定回路であり、マイコン３０のポート群ＣＬ５に接続されている。なお、マイコン３０、絞り制御回路３１、シャッタ制御回路３２、フィルム給送回路３３及びモード設定回路３４は、不図示の電源電池により給電されている。３５はカメラのシャッタボタンの半押し状態でオンとなるスイッチであり、一端がマイコン３０のポートＰ４に接続され、他端がグランドに接続されている。３６はカメラのシャッタボタンの全押し状態でオンとなるスイッチであり、一端がマイコン３０のポートＰ３に接続され、他端がグランドに接続されている。
【００２５】
４０は調光回路であり、マイコン３０のポート群ＣＬ６に接続されている。また、出力端子ＣＯは発光制御端子ＴＣＴ及び閃光装置の発光制御端子ＴＦＴを介して前記閃光制御回路１６の制御端子ＳＩに接続されている。この調光回路４０はシャッタが開動作を開始した直後に出力端子ＣＯがローレベルからハイレベルとなり、被写体からの閃光の反射光を測定して所定値に達した時にハイレベルからローレベルに変化する。４１はメカニカルなシンクロスイッチであり、シンクロ端子ＸＣＴに接続されており、シャッタが全開した時にオンとなる。
【００２６】
ここで、図１の構成における閃光装置が、第１の種類のカメラに接続された時の概略動作について述べる。なお、詳細な説明は図４のフローチャートを用いて後述する。
【００２７】
まず、図１における閃光装置の動作について述べる。電源スイッチ２がオンになると、昇圧回路３及びＤＣ／ＤＣコンバータ４が動作を開始し、メインコンデンサ１７の充電が開始されると共にマイコン５もＶＤＤに電圧が与えられ、動作を開始する。後述の図４あるいは図６のフローチャートにより詳述するが、マイコン５は、通信用ポート群ＦＬと通信用端子群ＦＬＴ及びＬＣＴを介して接続された第１の種類のカメラのマイコン３０のポート群ＣＬ１との通信により該カメラがメカニカルなシンクロスイッチを有する第１の種類のカメラであると判別すると、マイコン５内のチャタリング防止手段の動作を可能とする。また、マイコン５は抵抗１８と１９の接続点の電圧をポートＰ１にて検出し、メインコンデンサ１７の電圧が閃光放電管１５の発光に適した所定値に達するとポートＰ４をハイレベルとし、ＬＥＤ７を点灯させる。ここで、一般にメインコンデンサ１７の電圧が所定値に達することによってＬＥＤ７が点灯したことをメインコンデンサ１７の充電が完了したという。
【００２８】
後述の図４のフローチャートにより詳述するが、ＬＥＤ７が点灯した状態でカメラのメカニカルなシンクロスイッチ４１がオンすると、マイコン５のポートＰ３がハイレベルからローレベルになり、ポートＰ２がローレベルよりハイレベルに変化する。このハイレベルがＩＧＢＴ１２のゲートに伝達され、閃光発光起動手段が動作してトリガトランス１４の二次側出力に高周波高電圧が発生し、該電圧が閃光放電管１５のトリガ電極に与えられ、閃光放電管１５は放電を開始する。なお、第１の種類のカメラのメカニカルなシンクロスイッチ４１がオンになる前に、閃光制御回路１６をオンするハイレベル信号を調光回路４０から与えているので、閃光放電管１５は発光を開始する。
【００２９】
その後、調光回路４０からローレベル信号が出力されると閃光制御回路１６の制御端子ＳＩの入力はローレベルとなり、閃光放電管１５を流れる閃光電流が遮断され、発光が停止する。この時、被写体が近距離にあり、メインコンデンサ１７の電圧が発光するのに十分な電圧が残っていてシンクロスイッチがチャタリングを発生しても複数回発光しないように、後述のフローチャートにしたがった処理がマイコン５内で行われる。このようにマイコン５内にチャタリング防止手段が存在する。
【００３０】
次に、第１の種類のカメラの概略動作について述べる。なお、詳細な説明は図５のフローチャートを用いて後述する。
【００３１】
第１の種類のカメラはモード設定回路３４により連続撮影モードに設定されている。また、閃光撮影モードでの該カメラの１秒当たりの撮影回数は、メカニカルなシンクロスイッチ４１のチャタリングを考慮して１０回以下に設定されている。不図示の電源スイッチがオンになると、マイコン３０及びその他の回路等への給電がなされる。スイッチ３５がオンとなると、閃光装置にカメラの認識番号を送り、第１の種類のカメラであることを閃光装置に知らせる。次に、閃光装置が充電完了状態にあれば、不図示の測光手段が動作して閃光撮影に適した絞り値及びシャッタスピードを決定する。次いで、スイッチ３６がオンすると、レリーズシーケンスがスタートし、絞り制御回路３１により絞りを制御し、その後、シャッタ制御回路３２によりシャッタが開き始める。次に、調光回路４０が動作を開始し、その出力端子ＣＯがハイレベルに変化する。シャッタが全開に達すると、シンクロスイッチ４１が閉じ、閃光装置が発光を開始する。調光回路４０の出力端子ＣＯがローレベルに変化すると、閃光装置の発光が停止する。
【００３２】
その後、シャッタが閉じ、フィルム給送回路３３でフィルムが巻き上げられる。その後、スイッチ３６がオンになっているかを検出し、オンであれば再び閃光装置が充電完了状態にあるかを検出し、以下前述の動作を繰り返す。これはスイッチ３６のオフを検出するまで継続する。閃光撮影が行われた後、メインコンデンサ１７が充電完了状態にあれば閃光撮影を繰り返す。
【００３３】
図２は、図１にて説明した本発明の実施例１に係わる閃光装置と該閃光装置に接続されたメカニカルなシンクロスイッチを有する第２の種類のカメラの回路構成を示す図である。なお、図１に示す第１の種類のカメラと同じ番号が付いているものは同じ機能なので、その説明は省略する。
【００３４】
５０はマイコンであり、第１の種類のカメラのマイコン３０とはＲＯＭ内容が異なる。４２はメカニカルなシンクロスイッチであり、シンクロ端子ＸＣＴに接続されており、シャッタが全開した時にオンとなる。このメカニカルなシンクロスイッチ４２のチャタリング発生時間は、第１の種類のカメラのメカニカルなシンクロスイッチ４１のチャタリング発生時間の半分以下である。
【００３５】
以下に、第２の種類のカメラが接続された際の閃光装置の動作の概要を述べる。
【００３６】
電源スイッチ２がオンになると、昇圧回路３及びＤＣ／ＤＣコンバータ４が動作を開始し、メインコンデンサ１７の充電が開始されると共にマイコン５もＶＤＤに電圧が与えられ、動作を開始する。後述の図４のフローチャートにより詳述するが、マイコン５は、ポート群ＦＬと端子群ＦＬＴ及びＬＣＴを介して接続された第２の種類のカメラのマイコン５０のポート群ＣＬ１との通信によりカメラがメカニカルスイッチを有する第２の種類のカメラであると判別すると、マイコン５内のチャタリング防止手段の動作を可能とし、チャタリング防止時間を第１の種類のカメラの場合よりも短く設定する。また、マイコン５は、抵抗１８と１９の接続点の電圧をポートＰ１にて検出し、メインコンデンサ１７の電圧が閃光放電管１５の発光に適した所定値に達するとポートＰ４をハイレベルとし、ＬＥＤ７を点灯させる。
【００３７】
後述の図４のフローチャートにより詳述するが、この状態で第２の種類のカメラのメカニカルなシンクロスイッチ４２がオンすると、マイコン５のポートＰ３がハイレベルからローレベルになり、ポートＰ２がローレベルよりハイレベルに変化する。このハイレベルは１００ミリ秒に比べて非常に短い所定時間０．５ミリ秒間持続する。ハイレベルがＩＧＢＴ１２のゲートに伝達され、閃光発光起動手段が動作してトリガトランス１４の二次側出力に高周波高電圧が発生し、該電圧が閃光放電管１５のトリガ電極に与えられ、閃光放電管１５は放電を開始する。なお、第２の種類のカメラのメカニカルなシンクロスイッチ４２がオンになる前に、閃光制御回路１６をオンするハイレベル信号を調光回路４０から与えているので、閃光放電管１５は発光を開始する。
【００３８】
その後、調光回路４０からローレベル信号が出力されると閃光制御回路１６の制御端子ＳＩへの入力はローレベルとなり、閃光放電管１５を流れる閃光電流が遮断され、発光が停止する。この時、被写体が近距離にあり、メインコンデンサ１７の電圧が発光するのに十分な電圧が残っていてシンクロスイッチがチャタリングを発生しても複数回発光しないように、後述のフローチャートにしたがった処理がマイコン５内で行われる。
【００３９】
次に、第２の種類のカメラの動作の概略動作を以下に述べる。なお、詳細な説明は第１の種類のカメラと同じく図５のフローチャートを用いて説明する。
【００４０】
第２の種類のカメラはモード設定回路３４で連続撮影モードに設定されている。また、閃光撮影モードでの本カメラの１秒当たりの撮影回数は、第１の種類のカメラよりも単位時間当たりの撮影回数は多く、１１回以上に設定されている。不図示の電源スイッチがオンになると、マイコン５０及びその他の回路等への給電がなされる。スイッチ３５がオンとなると、閃光装置にカメラの認識番号を送り、第２の種類のカメラであることを閃光装置に知らせる。次に、閃光装置が充電完了状態にあれば、不図示の測光手段が動作して閃光撮影に適した絞り値及びシャッタスピードを決定する。次いで、スイッチ３６がオンすると、レリーズシーケンスがスタートし、絞り制御回路３１により絞りを制御し、その後、シャッタ制御回路３２によりシャッタが開き始める。次に、調光回路４０が動作を開始し、その出力端子ＣＯがハイレベルに変化する。シャッタが全開に達すると、シンクロスイッチ４２が閉じ、閃光装置が発光を開始する。調光回路４０の出力端子ＣＯがローレベルに変化すると、閃光装置の発光が停止する。
【００４１】
その後、シャッタが閉じ、フィルム給送回路３３でフィルムが巻き上げられる。その後、スイッチ３６がオンになっているかを検出し、オンであれば再び閃光装置が充電完了状態にあるかを検出し、以下前述の動作を繰り返す。これはスイッチ３６のオフを検出するまで継続する。閃光撮影が行われた後、メインコンデンサ１７が充電完了状態にあれば閃光撮影を繰り返す。
【００４２】
図３は、図１にて説明した本発明の実施例１に係わる閃光装置と該閃光装置に接続された半導体シンクロスイッチを有する第３の種類のカメラの回路構成を示す図である。なお、図１に示す第１の種類のカメラと同じ番号が付いているものは同じ機能なので、その説明は省略する。
【００４３】
６０はマイコンであり、第１の種類のカメラのマイコン３０とはＲＯＭ内容が異なる。３７はスイッチであり、シャッタ制御回路３２によりシャッタが全開となった時に所定時間オンするスイッチである。３９は半導体シンクロスイッチとしてのＩＧＢＴであり、シンクロ端子ＸＣＴに接続されており、スイッチ３７のオンに同期して所定時間オンする。
【００４４】
以下に、第３の種類のカメラが接続された際の閃光装置の動作の概要を述べる。
【００４５】
電源スイッチ２がオンになると、昇圧回路３及びＤＣ／ＤＣコンバータ４が動作を開始し、メインコンデンサ１７の充電が開始されると共にマイコン５もＶＤＤに電圧が与えられ、動作を開始する。後述の図４のフローチャートにより詳述するが、マイコン５は、ポート群ＦＬと端子群ＦＬＴ及びＬＣＴを介して接続された第３の種類のカメラのマイコン６０のポート群ＣＬ１との通信によりカメラが半導体シンクロスイッチを有する第３の種類のカメラであると判別すると、マイコン５内のチャタリング防止手段の動作を禁止する。また、マイコン５は、抵抗１８と１９の接続点の電圧をポートＰ１にて検出し、メインコンデンサ１７の電圧が閃光放電管１５の発光に適した所定値に達するとポートＰ４をハイレベルとし、ＬＥＤ７を点灯させる。
【００４６】
後述の図４のフローチャートにより詳述するが、この状態で第３の種類のカメラの半導体シンクロスイッチ３９がオンすると、マイコン５のポートＰ３がハイレベルからローレベルになり、ポートＰ２がローレベルよりハイレベルに変化する。このハイレベルは１００ミリ秒に比べて非常に短い所定時間０．５ミリ秒間持続する。ハイレベルがＩＧＢＴ１２のゲートに伝達され、閃光発光起動手段が動作してトリガトランス１４の二次側出力に高周波高電圧が発生し、該電圧が閃光放電管１５のトリガ電極に与えられ、閃光放電管１５は放電を開始する。なお、第３の種類のカメラの半導体シンクロスイッチ（ＩＧＢＴ）３９がオンになる前に、閃光制御回路１６をオンするハイレベル信号を調光回路４０から与えているので、閃光放電管１５は発光を開始する。
【００４７】
その後、調光回路４０からローレベル信号が出力されると閃光制御回路１６の制御端子ＳＩへの入力はローレベルとなり、閃光放電管１５を流れる閃光電流が遮断され、発光が停止する。この時、被写体が近距離にあり、メインコンデンサ１７の電圧が発光するのに十分な電圧が残っていても半導体シンクロスイッチ３９はチャタリングを生じないので、チャタリングに起因して複数回発光することはない。
【００４８】
次に、第３の種類のカメラの動作の概略動作を以下に述べる。なお、詳細な説明は図６のフローチャートを用いて後述する。
【００４９】
第３の種類のカメラはモード設定回路３４で連続撮影モードに設定されている。また、閃光撮影モードでの本カメラの１秒当たりの撮影回数は、第１の種類のカメラよりも単位時間当たりの撮影回数は多く、１１回以上に設定されている。不図示の電源スイッチがオンになると、マイコン６０及びその他の回路等への給電がなされる。スイッチ３５がオンとなると、閃光装置にカメラの認識番号を送り、第３の種類のカメラであることを閃光装置に知らせる。次に、閃光装置が充電完了状態にあれば、不図示の測光手段が動作して閃光撮影に適した絞り値及びシャッタスピードを決定する。次いでスイッチ３６がオンすると、レリーズシーケンスがスタートし、絞り制御回路３１により絞りを制御し、その後、シャッタ制御回路３２によりシャッタが開き始める。次に、調光回路４０が動作を開始し、その出力端子ＣＯがハイレベルに変化する。シャッタが全開に達するとスイッチ３７が閉じ、それに応答して半導体シンクロスイッチ３９がオンするので閃光装置が発光を開始する。
【００５０】
その後、調光回路４０の出力端子ＣＯがローレベルに変化すると、閃光装置の発光が停止する。その後、シャッタが閉じ、フィルム給送回路３３でフィルムが巻き上げられる。その後、スイッチ３６がオンになっているかを検出し、オンであれば再び閃光装置が充電完了状態にあるかを検出し、以下前述の動作を繰り返す。これはスイッチ３６のオフを検出するまで継続する。閃光撮影が行われた後、メインコンデンサ１７が充電完了状態にあれば閃光撮影を繰り返す。
【００５１】
次に、第１の実施例である閃光装置に具備されるマイコン５での詳細な動作について、図４のフローチャートにしたがって説明する。
【００５２】
図４のステップ＃１０１で電源スイッチ２がオンとなると、スタート状態となる。この時、マイコン５のポートＰ２はローレベルに、ポートＰ３はハイレベルに、ポートＰ４はローレベルに、それぞれ設定される。次のステップ＃１０２では、接続されているカメラに対して該カメラの種類を示すカメラ認識番号を要求する。続くステップ＃１０３では、カメラよりカメラ認識番号を受信する。そして、ステップ＃１０４にて、接続されているカメラが第１の種類のカメラであるかを判別する。この結果、カメラが第１の種類のカメラと判別した時はステップ＃１０５へ進み、カメラが第１の種類のカメラでないと判別した時、即ち第２あるいは第３の種類のカメラと判別した時はステップ＃１１６へ進む。
【００５３】
カメラが第１の種類のカメラであるとしてステップ＃１０４からステップ＃１０５へ進むと、該カメラからメインコンデンサ１７の充電状態信号を要求されているかどうかを判別し、要求されていなければ要求されるまで待機する。その後、充電状態信号が要求されるとステップ＃１０６へ進み、メインコンデンサ１７の充電が完了したかどうかを判別する。充電未完了と判別した時は後述するステップ＃１１５へ進むが、充電完了状態である場合はステップ＃１０７に進み、充電完了信号をカメラに出力する。そして、次のステップ＃１０８にて、ポートＰ３がローレベルであるか否かを判別し、ローレベル、即ち第１の種類のカメラのメカニカルなシンクロスイッチ４１がオンであればステップ＃１０９へ進み、オンでなければステップ＃１０８でオンするまで待機する。
【００５４】
第１の種類のカメラのメカニカルなシンクロスイッチ４１がオンするとステップ＃１０８からステップ＃１０９へ進み、ここではポートＰ２をハイレベルにする。これにより、ＩＧＢＴ１２がオンになり、閃光発光起動手段が作動状態となり、閃光放電管１５が発光を開始する。次のステップ＃１１０では、第１及び第２のタイマの動作を開始する。第１のタイマは閃光発光起動手段の構成要素であるＩＧＢＴ１２がオンする時間を決めるものであり、タイマ終了までの時間は０．５ミリ秒に設定されている。また、第２のタイマはメカニカルなシンクロスイッチ４１のチャタリングを防止する為のものであり、１００ミリ秒（チャタリング防止時間）に設定されている。前記第２のタイマ作動中はシンクロスイッチ４１がチャタリングを起こしても複数回発光することはない。
【００５５】
次のステップ＃１１１では、第１のタイマが終了するまで待機し、終了するとステップ＃１１２へ進み、ポートＰ２をローレベルとする。そして、次のスッテプ♯１１３にて、第２のタイマが終了するのを待機する。続くステップ＃１１４では、ポートＰ３の状態を判別し、ローレベルであればこのステップに待機し、その後ハイレベルになるとスッテプ１０５に戻る。このステップ＃１１４では、メカニカルなシンクロスイッチ４１が開状態であるか否かを判別している。
【００５６】
上記ステップ＃１０６にて充電が完了していないと判別した場合はステップ＃１１５へ進み、充電未完了信号をカメラに出力し、ステップ＃１０５に戻り、以下同様の動作を繰り返す。
【００５７】
また、上記ステップ＃１０４にて第１の種類のカメラでなかった場合はステップ＃１１６へ進み、接続されているカメラが第２の種類のカメラであるかを判別する。この結果、カメラが第２の種類のカメラと判別した時はステップ＃１１７へ進み、カメラが第２の種類のカメラでないと判別した時、即ち第３の種類のカメラと判別した時はステップ＃１２８へ進む。
【００５８】
カメラが第２の種類のカメラであるとしてステップ＃１１６からステップ＃１１７へ進むと、該カメラからメインコンデンサ１７の充電状態信号を要求されているかどうかを判別し、要求されていなければ要求されるまで待機する。その後、充電状態信号が要求されるとステップ＃１１８へ進み、メインコンデンサ１７の充電が完了したかどうかを判別する。充電未完了と判別した時は後述するステップ＃１２７へ進むが、充電完了状態である場合はステップ＃１１９に進み、充電完了信号をカメラに出力する。そして、次のステップ＃１２０にて、ポートＰ３がローレベルであるか否かを判別し、ローレベル、即ち第１の種類のカメラのメカニカルなシンクロスイッチ４２がオンであればステップ＃１２１へ進み、オンでなければステップ＃１２０でオンするまで待機する。
【００５９】
第２の種類のカメラのメカニカルなシンクロスイッチ４２がオンするとステップ＃１２０からステップ＃１２１へ進み、ここではポートＰ２をハイレベルにする。これにより、ＩＧＢＴ１２がオンになり、閃光発光起動手段が作動状態となり、閃光放電管１５が発光を開始する。次のステップ＃１２２では、第３及び第４のタイマの動作を開始する。第３のタイマは閃光発光起動手段の構成要素であるＩＧＢＴ１２がオンする時間を決めるものであり、タイマ終了までの時間は０．５ミリ秒に設定されている。また、第４のタイマはメカニカルなシンクロスイッチ４２のチャタリングを防止する為のものであり、第１のタイマよりも短い３０ミリ秒（チャタリング防止時間）に設定されている。この第４のタイマのチャタリング防止時間は、第１の種類のカメラのチャタリングを防止するには十分な時間ではないが、第２の種類のカメラのチャタリングを防止するには十分な時間である。前記第４のタイマ作動中はシンクロスイッチ４２がチャタリングを起こしても複数回発光することはない。
【００６０】
次のステップ＃１２３では、第３のタイマが終了するまで待機し、終了するとステップ＃１２４へ進み、ポートＰ２をローレベルとする。そして、次のスッテプ♯１２５にて、第４のタイマが終了するのを待機する。続くステップ＃１２６では、ポートＰ３の状態を判別し、ローレベルであればこのステップに待機し、その後ハイレベルになるとスッテプ１１７に戻る。このステップ＃１１４では、メカニカルなシンクロスイッチ４２が開状態であるか否かを判別している。
【００６１】
上記ステップ＃１１８にて充電が完了していないと判別した場合はステップ＃１２７へ進み、充電未完了信号をカメラに出力し、ステップ＃１１７に戻り、以下同様の動作を繰り返す。
【００６２】
また、上記ステップ＃１１６にて第２の種類のカメラでなかった場合、つまり第３の種類のカメラであった場合はステップ＃１２８へ進み、該カメラからメインコンデンサ１７の充電状態信号が要求されるまで待機する。その後、充電状態信号が要求されるステップ＃１２９へ進み、メインコンデンサ１７の充電が完了したかどうかを判別し、充電未完了と判別した場合は後述のステップ＃１３７へ進むが、充電完了状態であることを判別するとステップ＃１３０へ進み、充電完了信号をカメラに出力する。
【００６３】
次のステップ＃１３１では、ポートＰ３がローレベルであるか否かを判別し、ハイレベル、即ち第３の種類のカメラの半導体シンクロスイッチ３９がオフであればオンするまで待機する。その後、半導体シンクロスイッチ３９がオンするとステップ＃１３２へ進み、ポートＰ２をハイレベルにする。これにより、ＩＧＢＴ１２がオンになり、閃光発光起動手段が作動状態となり、閃光放電管１５が発光を開始する。次のステップ＃１３３では、第５のタイマの動作を開始する。前記第１のタイマと同様に、閃光発光起動手段のＩＧＢＴ１２がオンする時間を決めるものであり、タイマ終了までの時間も第１及び第３のタイマと同様に０．５ミリ秒に設定されている。
【００６４】
次のステップ＃１３４では、第５のタイマが終了するのを待機し、終了するとステップ＃１３５へ進み、ポートＰ２をローレベルとする。そして、次のステップ＃１３６にて、ポートＰ３の状態を判別し、ローレベルであればハイレベルになるまで待機し、その後ハイレベルになるとステップ＃１２８に戻る。このステップ＃１３６では、半導体シンクロスイッチ３９の状態がオフであるか否かを判別している。
【００６５】
上記ステップ＃１２９にて充電が完了していないと判別した場合はステップ＃１３７へ進み、充電未完了信号をカメラに出力し、ステップ＃１２８に戻り、以下同様の動作を繰り返す。
【００６６】
以上のフローにおいて、電源スイッチ２をオフし再びオンするとスタートに戻る。
【００６７】
以上のように、ステップ＃１０４及びステップ＃１１６にてカメラの種類を判別しているので、結果として、カメラのシンクロスイッチがメカニカルなシンクロスイッチであるか半導体シンクロスイッチであるかを、メカニカルなシンクロスイッチであるならばチャタリング発生時間はどの程度なのかを判別していることになる。この動作の部分がマイコン５内に含まれる判別手段に相当する。また、第１の種類のカメラを用いた場合はステップ＃１０８からステップ＃１１３までの動作部分がチャタリング防止のためのステップ、詳しくは第２のタイマの作動時間（１００ミリ秒）、メカニカルなシンクロスイッチ４１のオフとオンの繰り返しがあっても無視するチャタリング防止のためのステップであり、また、第２の種類のカメラを用いた場合はステップ＃１２０からステップ＃１２５までの動作部分がチャタリング防止のためのステップ、詳しくは第４のタイマの作動時間（３０ミリ秒）、メカニカルなシンクロスイッチ４２のオフとオンの繰り返しがあっても無視するチャタリング防止のためのステップであり、これらの動作部分がマイコン５内に含まれるチャタリング防止手段に相当する。
【００６８】
次に、第１の種類のカメラに具備されるマイコン３０、あるいは第２の種類のカメラに具備されるマイコン５０での動作について、図５のフローチャートにしたがって説明する。
【００６９】
ステップ＃２０１にて不図示の電源スイッチがオンになるとスタート状態となる。この時、モード設定回路３４にてモードは連続撮影モードに設定されている。次のステップ＃２０２では、不図示のカメラのシャッタボタンの半押しでオンとなるスイッチ３５の状態を判別し、オフであればオンになるまで待機する。その後、該スイッチ３５がオンするとステップ＃２０３に進み、閃光装置からカメラの種類を示す認識番号の要求があるかを判別する。この結果、要求があればステップ＃２０４に進み、無ければ要求があるまで待機する。
【００７０】
カメラの種類を示す認識番号の要求があるとステップ＃２０４へ進み、カメラの認識番号を閃光装置に送信する。そして、次のステップ＃２０５にて、閃光装置にメインコンデンサ１７が充電未完了か充電完了かを示す充電状態信号を要求する。続くステップ＃２０６では、充電状態信号を閃光装置より受信する。そして、次のステップ＃２０７にて、上記ステップ＃２０６で受信した信号を判別し、閃光装置のメインコンデンサ１７が充電完了状態にない場合は後述のステップ＃２２０へ進むが、充電完了状態にあればステップ＃２０８へ進み、不図示の測光手段を動作させ、閃光撮影に適した絞り値、シャッタ速度を決定する。次のステップ＃２０９では、不図示のカメラのシャッタボタンの全押しでオンとなるスイッチ３６の状態を判別し、オフであればオンするまで待機し、その後、オンするとステップ＃２１０へ進み、上記ステップ＃２０８で決定された絞り値に絞り制御回路３１により不図示の絞りを制御する。そして、次のステップ＃２１１にて、シャッタ制御回路３２により不図示のシャッタの開動作を開始させ、続くステップ＃２１２にて、調光回路４０での動作を開始させ、出力端子ＣＯをローレベルからハイレベルにする。この後シャッタが全開するとシンクロスイッチ４１あるいはシンクロスイッチ４２がオンし、閃光装置の閃光放電管１５の発光が開始される。
【００７１】
次のステップ＃２１３では、調光回路４０の出力端子ＣＯをハイレベルからローレベルにする。これは閃光放電管１５の被写体からの反射光を調光回路４０で測光し、測光光量が所定値に達したからである。そして、次のステップ＃２１４にて、上記ステップ＃２０８で決定されたシャッタ速度に応じてシャッタ制御回路３２によりシャッタが閉動作を開始する。続くスッテプ２１５では、シャッタの閉動作を完了する。そして、次のステップ＃２１６にて、フィルム給送回路３３によりフィルムの巻き上げを行う。続くステップ＃２１７では、スイッチ３６がオフになっているかを判別し、オフの場合はステップ＃２１８に進み、オンの場合はステップ＃２０５に戻る。
【００７２】
スイッチ３６がオフしているとステップ＃２１７からステップ＃２１８へ進み、今度はスイッチ３５がオフになっているかを判別し、オンの場合はステップ＃２０５に戻る。一方、オフの場合はステップ＃２１９に進み、一連の動作を終了する。
【００７３】
上記ステップ＃２０７にて充電完了していないとしてステップ＃２２０へ進むと、不図示の測光回路を動作させ、自然光撮影に適した絞り値、シャッタ速度を決定する。そして、次のステップ＃２２１にて、スイッチ３６の状態を判別し、オフであればオンするまでの待機し、その後、オンすることによりステップ＃２２２へ進む。そして、ステップ＃２２２では、上記ステップ＃２２０で決定された絞り値に絞り制御回路３１により不図示の絞りを制御し、次のスッテプ２２３にて、シャッタ制御回路３２により不図示のシャッタの開動作を開始する。続くスッテプ２２４では、上記ステップ＃２２０で決定されたシャッタ速度に応じてシャッタ制御回路３２によりシャッタの閉動作を開始し、次のステップ＃２２５にて、シャッタの閉動作を完了する。そして、ステップ＃２２６にて、フィルム給送回路３３によりフィルムの巻き上げを行い、前述のステップ＃２１７へと進む。
【００７４】
次に、第３の種類のカメラに具備されるマイコン６０での詳細な動作について、図６のフローチャートにしたがって説明する。
【００７５】
ステップ＃３０１にて不図示の電源スイッチがオンすることによりスタート状態となる。この時、ポートＰ１はローレベルに設定される。また、この状態で、モード設定回路３４でモードは連続撮影モードに設定されている。次のステップ＃３０２では、不図示のカメラのシャッタボタンの半押しでオンとなるスイッチ３５の状態を判別し、オフであればオンするまで待機し、その後、オンすることによりステップ＃３０３へ進み、閃光装置からカメラの種類を示す認識番号の要求があるかを判別する。この結果、要求がある時はステップ＃３０４に進み、ない時はステップ＃３０３に戻る。
【００７６】
閃光装置からカメラの種類を示す認識番号の要求があるとステップ＃３０３からステップ＃３０４へ進み、ここではカメラの認識番号を閃光装置に送信する。そして、次のステップ＃３０５にて、閃光装置にメインコンデンサ１７が充電未完了か充電完了かを示す充電状態信号を要求する。続くステップ＃３０６では、充電状態信号を受信する。そして、次のステップ＃３０７にて、上記ステップ＃３０６で受信した信号を判別し、閃光装置のメインコンデンサ１７が充電完了状態にない場合はステップ＃３２４に進むが、充電完了状態にあればステップ＃３０８に進み、不図示の測光回路を動作させ、閃光撮影に適した絞り値、シャッタ速度を決定する。
【００７７】
次のステップ＃３０９では、不図示のカメラのシャッタボタンの全押しでオンとなるスイッチ３６の状態を判別し、オフであればオンするまで待機し、その後、オンすることによりステップ＃３１０へ進み、上記ステップ＃３０８で決定された絞り値に絞り制御回路３１により不図示の絞りを制御する。そして、次のステップ＃３１１にて、シャッタ制御回路３２により不図示のシャッタの開動作を開始し、続くステップ＃３１２にて、調光回路４０の動作を開始し、出力端子ＣＯをローレベルからハイレベルにする。次のステップ＃３１３では、シャッタが全開となるとオンするスイッチ３７の状態を判別し、オフであればオンするまで待機し、その後、オンすることによりステップ＃３１４へ進み、ポートＰ１をハイレベルとする。このハイレベルによりカメラの半導体シンクロスイッチ３９がオンとなり、閃光装置は発光を開始する。
【００７８】
次のステップ＃３１５では、調光回路４０の出力端子ＣＯをハイレベルからローレベルにする。これは、閃光放電管１５の被写体からの反射光を調光回路４０で測光し、測光光量が所定値に達したからである。そして、次のステップ＃３１６にて、上記ステップ＃３０８で決定されたシャッタ速度に応じてシャッタ制御回路３２によりシャッタが閉動作を開始する。続くステップ＃３１７では、スイッチ３７の状態を判別し、オフであればオンするまで待機し、その後、オンすることによりステップ＃３１８へ進み、ポートＰ１をローレベルにする。そして、次のステップ＃３１９にて、シャッタの閉動作を完了し、次のステップ＃３２０にて、フィルム給送回路３３によりフィルムの巻き上げを行う。その後はステップ＃３２１へ進み、スイッチ３６がオフになっているかを判別し、オンの場合はステップ＃３０５に戻る。また、オフの場合はステップ＃３２２へ進み、今度はスイッチ３５がオフになっているかを判別し、オンの場合はステップ＃３０５に戻るが、オフの場合はステップ＃３２３へ進み、一連の動作が終了する。
【００７９】
上記ステップ＃３０７にて充電完了していないと判定した場合にはステップ＃３２４へ進み、不図示の測光回路を動作させ、自然光撮影に適した絞り値、シャッタ速度を決定する。そして、次のステップ＃３２５にて、スイッチ３６の状態を判別し、オフであればオンするまで待機し、その後、オンすることによりステップ＃３２６へ進み、上記ステップ＃３２４で決定された絞り値に絞り制御回路３１により不図示の絞りを制御する。次のスッテプ３２７では、シャッタ制御回路３２により不図示のシャッタの開動作を開始する。続くスッテプ３２８では、上記ステップ＃３２４で決定されたシャッタ速度に応じてシャッタ制御回路３２によりシャッタの閉動作を開始し、次のステップ＃３２９にて、シャッタの閉動作を完了する。そして、ステップ＃３３０にて、フィルム給送回路３３によりフィルムの巻き上げを行う。
【００８０】
上記の実施例においては、閃光装置内のマイコン５により接続されているカメラの種類を判別し（図４のステップ＃１０４，＃１１６）、メカニカルなシンクロスイッチ４１を有する第１の種類のカメラと判別した場合はチャタリング防止手段（＃１０８〜＃１１３）の動作を許可し、メカニカルなシンクロスイッチ４２を有する第２の種類のカメラと判別した場合は第１の種類のカメラと判別したときよりも短いチャタリング防止時間にてチャタリング防止手段（＃１２０〜＃１２５）の動作を許可し、半導体シンクロスイッチ３９を有する第３の種類のカメラと判別した場合はチャタリング防止手段の動作を禁止している。従って、チャタリング防止手段を動作させたり禁止したりするためのスイッチ部材を具備することなく、自動的に用いるカメラに対応した閃光撮影を適切に行うことが可能となる。
【００８１】
つまり、チャタリング発生の有無や、チャタリング発生時間の長さに対応して、閃光発光させることが可能である。
【００８２】
また、上記のようにチャタリング防止手段を動作させたり禁止したりするため、あるいはチャタリング時間の異なる動作をさせるためのスイッチ部材を具備しなくて済むので、閃光装置やカメラの小型化、低コスト化を妨げることもない。
【００８３】
また、上記の構成とすることにより、半導体シンクロスイッチ３９を用いた第３の種類のカメラあるいはチャタリングの短い第２の種類のカメラの単位時間当たりの撮影回数を、チャタリングの長いメカニカルなシンクロスイッチ４１を用いた第１の種類のカメラより多くすることのできる閃光装置のみならず、同様の効果を得ることのできるカメラと閃光装置との組み合わせより成る撮影システムを構築することもできる。
【００８４】
なお、第３の種類のカメラに設けられた半導体スイッチとして、本実施例ではＩＧＢＴを用いたが、ＦＥＴ、バイポーラトランジスタ、ＳＣＲまたはＴＲＩＡＣを用いても同様の効果を得ることができる。
【００８５】
また、第１の種類のカメラ、第２及び第３の種類のカメラとしてフィルムを用いるカメラを例に述べたが、第１の種類のカメラ、第２及び第３の種類のカメラは、撮像素子を用いた電子カメラであってもよいし、フィルムを用いるカメラと電子カメラであっても良い。
【図面の簡単な説明】
【００８６】
【図１】本発明の一実施例に係わる閃光装置及び第１の種類のカメラの構成を示す回路図である。
【図２】本発明の一実施例に係わる閃光装置及び第２の種類のカメラの構成を示す回路図である。
【図３】本発明の一実施例に係わる閃光装置及び第３の種類のカメラの構成を示す回路図である。
【図４】本発明の一実施例に係わる閃光装置の動作を示すフローチャートである。
【図５】本発明の一実施例に係わる第１及び第２の種類のカメラの動作を示すフローチャートである。
【図６】本発明の一実施例に係わる第３の種類のカメラの動作を示すフローチャートである。
【符号の説明】
【００８７】
１    電源電池
３    昇圧回路
４    ＤＣ／ＤＣコンバータ
５    マイコン
１２  メカニカルなシンクロスイッチ（ＩＧＢＴ）
１４  トリガトランス
１５  閃光放電管
１７  メインコンデンサ
３０  マイコン
３１  絞り制御回路
３２  シャッタ制御回路
３３  フィルム給送回路
３４  モード設定回路
３９  半導体シンクロスイッチ（ＩＧＢＴ）
４０  調光回路
４１，４２  シンクロスイッチ
５０，６０  マイコン
【図１】
2005141197.tif 000003
【図２】
2005141197.tif 000004
【図３】
2005141197.tif 000005
【図４】
2005141197.tif 000006
【図５】
2005141197.tif 000007
【図６】
2005141197.tif 000008